(57)【要約】【課題】聴覚障害者が火災の発生を、障害のない人と同じタイミングで知ることができる火災報知システムを提供する。【解決手段】非常ボタン４ａ、４ｂ、４ｃ・・・または火災感知器５ａ、５ｂ、５ｃ・・・は火災発生時に警報信号を分電制御盤２へ出力する。分電制御盤２は、非常ボタン４または火災感知器５からの警報信号を受け、火災発生を示す信号を点滅制御装置７へ電力線を介して出力する。点滅制御装置７は、分電制御盤２からの信号を受け照明器具６を点滅させる。この照明器具６の点滅によって、聴覚障害者も火災の発生を、障害のない人と同じタイミングで知ることができる。【選択図】　　図１
2004086459.tif 000002
【特許請求の範囲】
【請求項１】
火災発生時に警報信号を出力する警報手段と、
前記警報手段からの警報信号を受け、火災発生を示す信号を出力する信号出力手段と、
前記信号出力手段からの信号を受け照明器具を点滅させる点滅制御手段と、
を具備することを特徴とする火災報知システム。
【請求項２】
前記信号出力手段は、前記警報信号に基づいて火災発生場所を検知して火災発生場所を示す信号を出力し、
前記点滅制御手段は、前記信号出力手段から出力される信号に基づいて火災発生場所を検知し、火災発生場所に対応する点滅サイクルで前記照明器具を点滅制御することを特徴とする請求項１に記載の火災報知システム。
【請求項３】
前記信号出力手段は、前記火災発生を示す信号を前記照明器具を点灯するための電力線に乗せて前記点滅制御手段へ送信することを特徴とする請求項１に記載の火災報知システム。
【請求項４】
火災発生時にオフ状態の照明器具を点灯制御するために、照明用スイッチをオンとさせることを特徴とする請求項３に記載の火災報知システム。
【発明の詳細な説明】
【０００１】
【発明の属する技術分野】
この発明は、火災の発生を報知する火災報知システムに係り、特に、聴覚障害者にも確実に火災の発生を報知することができる火災報知システムに関する。
【０００２】
【従来の技術】
公共施設等において火災が発生すると、発見者が非常ボタンをオンとすることによって、あるいは、煙感知器、温度感知器等の火災感知器からの信号によって非常ベルが駆動され、周囲の人に火災の発生が知らされるというのが従来の技術である。しかし、聴覚障害者は、非常ベルだけでは火災の発生を知ることができず、また、防災センタ等による放送があっても気付かない。聴覚障害者は、周辺にいる人の行動によって初めて火災の発生を知り、避難するのが実状である。
【０００３】
【発明が解決しようとする課題】
このように、従来の火災報知システムにあっては、聴覚障害者が火災の発生を知ることが遅れ、このため、避難が遅れがちになる問題があった。
【０００４】
この発明は、このような事情を考慮してなされたもので、その目的は、聴覚障害者が火災の発生を、障害のない人と同様のタイミングで知ることができる火災報知システムを提供することにある。
【０００５】
【課題を解決するための手段】
この発明は上記の課題を解決すべくなされたもので、請求項１に記載の発明は、火災発生時に警報信号を出力する警報手段と、前記警報手段からの警報信号を受け、火災発生を示す信号を出力する信号出力手段と、前記信号出力手段からの信号を受け照明器具を点滅させる点滅制御手段とを具備することを特徴とする火災報知システムである。
【０００６】
また、請求項２に記載の発明は、請求項１に記載の火災報知システムにおいて、前記信号出力手段は、前記警報信号に基づいて火災発生場所を検知して火災発生場所を示す信号を出力し、前記点滅制御手段は、前記信号出力手段から出力される信号に基づいて火災発生場所を検知し、火災発生場所に対応する点滅サイクルで前記照明器具を点滅制御することを特徴とする。
【０００７】
また、請求項３に記載の発明は、請求項１に記載の火災報知システムにおいて、前記信号出力手段は、前記火災発生を示す信号を前記照明器具を点灯するための電力線に乗せて前記点滅制御手段へ送信することを特徴とする。
また、請求項４に記載の発明は、請求項３に記載の火災報知システムにおいて、火災発生時にオフ状態の照明器具を点灯制御するために、照明用スイッチをオンとさせることを特徴とする。
【０００８】
【発明の実施の形態】
以下、図面を参照し、この発明の一実施の形態について説明する。図１は同実施の形態による火災報知システムの構成を示すブロック図である。
この図において、符号１は１００Ｖ・５０／６０Ｈｚの交流電源、２は交流電源１を施設の各部へ分配する分電制御盤である。３は照明用スイッチ、４ａ、４ｂ、４ｃ・・・は施設の各場所の設置された非常ボタン、５ａ、５ｂ、５ｃ・・・は施設の各場所に設置された火災感知器である。非常ボタン４ａ、４ｂ、４ｃ・・・は火災発生時に係員が操作するボタンであり、分電制御盤２に接続されている。火災感知器５ａ、５ｂ、５ｃ・・・は、熱または煙のセンサを有し、設置場所の温度または煙の濃度が一定値を越えた時、警報信号を分電制御盤２へ出力する。
【０００９】
分電制御盤２は、非常ボタン４ａ、４ｂ、４ｃ・・・がオンとされた時、または火災感知器５ａ、５ｂ、５ｃ・・・から警報信号が出力された時に、高周波の火災発生信号を生成し、電力線を介して点滅制御装置７へ出力する。この場合、火災発生信号には、火災発生を示す信号および火災発生場所を示す信号が含まれる。
照明用スイッチ３は、照明器具６をオン／オフ制御するためのスイッチを有し、分電制御盤２からの交流電力を該スイッチおよび電力線を介して点滅制御装置７へ出力する。また、火災発生時に照明用スイッチ３がオフとされていた場合、強制的に照明器具６をオン制御するためのスイッチを有する。
【００１０】
点滅制御装置７は、内部にサイリスタまたはリレーを有し、常時はサイリスタまたはリレーをオンとし、照明用スイッチ３を介して供給される交流電力を照明器具６へ出力する。また、分電制御盤２から火災発生信号を受信した時は、サイリスタまたはリレーをオン／オフ制御する。これにより、照明器具６が繰り返しオン／オフされる。
【００１１】
次に、上記実施形態の火災発生時の動作を説明する。
施設に火災が発生し、係員が、例えば非常ボタン４ａを押すと、最初に、分電制御盤２がそれを検知し、火災発生を示す信号を照明用スイッチ３へ出力する。照明用スイッチ３は、照明器具６がオフとされている場合は、強制的にオフ状態の照明器具６を点灯する。その後、分電制御盤２が火災発生および非常ボタン４ａの設置場所を示す信号を点滅制御装置７へ出力する。点滅制御装置７は分電制御盤２からの信号に基づいて火災の発生および発生場所を検知し、発生場所に応じた点滅サイクルで照明器具６を点滅する。
【００１２】
例えば、非常ボタン４ａまたは火災感知器５ａから警報信号が分電制御盤２へ出力された場合は、非常ボタン４ａまたは火災感知器５ａの位置に近い照明器具６は、オフ（１秒）／オン（２秒）／オフ（１秒）／オン（２秒）／・・・というサイクルで約３０秒間点滅させる。逆に、非常ボタン４ａまたは火災感知器５ａの位置から遠く離れている照明器具６は、オフ（１秒）／オン（４秒）／オフ（１秒）／オン（４秒）／・・・というサイクルで約３０秒間点滅させる。非常ボタン４ａまたは火災感知器５ａから警報信号が分電制御盤２へ出力された場合は、非常ボタン４ｂまたは火災感知器５ｂの位置に近い照明器具６は、オフ（１秒）／オン（２秒）／オフ（１秒）／オン（２秒）／・・・というサイクルで約３０秒間点滅させる。逆に、非常ボタン４ｂまたは火災感知器５ｂの位置から遠く離れている照明器具６は、オフ（１秒）／オン（４秒）／オフ（１秒）／オン（４秒）／・・・というサイクルで約３０秒間点滅させる。非常ボタン４ｃまたは火災感知器５ｃから警報信号が分電制御盤２へ出力された場合は、非常ボタン４ｃまたは火災感知器５ｃの位置に近い照明器具６は、オフ（１秒）／オン（２秒）／オフ（１秒）／オン（２秒）／・・・というサイクルで約３０秒間点滅させる。逆に、非常ボタン４ｃまたは火災感知器５ｃの位置から遠く離れている照明器具６は、オフ（１秒）／オン（４秒）／オフ（１秒）／オン（４秒）／・・・というサイクルで約３０秒間点滅させる。
【００１３】
このように、上記実施形態による火災報知システムにおいては、火災発生時に照明器具６自体が点滅するので、聴覚障害者であっても、即座に火災発生を知ることができる。また、この火災報知システムは、火災発生の場所によって点滅のサイクルが変わるので、施設内の人に火災発生の場所を知らせることができる。
【００１４】
【発明の効果】
以上説明したように、請求項１に記載の発明によれば、火災発生時に警報信号を出力する警報手段と、警報手段からの警報信号を受け、火災発生を示す信号を出力する信号出力手段と、信号出力手段からの信号を受け照明器具を点滅させる点滅制御手段とを具備しているので、聴覚障害者が火災の発生を、障害のない人と同じタイミングで知ることができる効果がある。
【００１５】
また、請求項２に記載の発明によれば、信号出力手段は、警報信号に基づいて火災発生場所を検知し、火災発生場所を示す信号を出力し、点滅制御手段は、信号出力手段から出力される信号に基づいて火災発生場所を検知し、火災発生場所に対応する点滅サイクルで照明器具を点滅制御するので、このシステムが設けられた施設にいる人が、火災が発生したことを知ると同時に、火災発生の場所まで知ることができる。
【００１６】
また、請求項３に記載の発明によれば、信号出力手段は、火災発生を示す信号を照明器具を点灯するための電力線に乗せて点滅制御手段へ送信するので、情報伝達のための配線が不要となり、簡単に構成できる利点がある。
また、請求項４に記載の発明によれば、火災発生時にオフ状態の照明器具を点灯制御するために、照明用スイッチをオンとさせるので、照明器具がオフとされている場所にいる人に、火災発生をより確実に知らせることができる。
【図面の簡単な説明】
【図１】この発明の一実施形態による火災報知システムの構成を示すブロック図である。
【符号の説明】
１…交流電源
２…分電制御盤
３…照明用スイッチ
４ａ、４ｂ、４ｃ…非常ボタン
５ａ、５ｂ、５ｃ…火災感知器
６…照明器具
７…点滅制御装置
【図１】
2004086459.tif 000003